(57)【要約】      （修正有）【課題】既存のバンド締め込み式管継手のバンドを用いて、バンドの正常な締め込みが完了したか否かを容易に確認できるパイプの接続方法及び管継手を提供する。【解決手段】断面略Ｃ字形をして、締め付けボルト４２の締め込みによってＣ字の両開口端に設けられたフランジ部４１ａが近接しながら縮径する締め付けバンド４を、継手本体に設けられたノズル状筒部２１が挿入されたパイプの管端部に、締め付けバンド４のＣ字の内側にパイプの管端部を内包するように外装したのち、前記締め付けボルト４２を締めこむことによってを挟着固定する管継手１であって、その一端部を両フランジ部間に臨ませ、他端部を両フランジ部間から外部に突出させた状態でボルト４２を締め込み確認シート５ａが締め付けバンド４から離脱不可状態となるまで締め込むようにした。【選択図】図１
2009156361.tif 000002
【特許請求の範囲】
【請求項１】
断面略Ｃ字形をして、締め付けボルトの締め込みによってＣ字の両開口端に設けられたフランジ部が近接しながら縮径する締め付けバンドを、継手本体に設けられたノズル状筒部が挿入されたパイプの管端部に、締め付けバンドのＣ字の内側にパイプの管端部を内包するように外装したのち、前記締め付けボルトを締めこむことによって縮径した締め付けバンドと前記ノズル状筒部と間でパイプの管端部を挟着固定する管継手へのハイプの接続方法であって、
パイプの正常接続状態で両フランジ部間に挟まれ、締め付けバンドから離脱不可状態となる厚さをした締め込み確認シートを、その一端部を両フランジ部間に臨ませ、他端部を両フランジ部間から外部に突出させた状態で前記ボルトを前記締め込み確認シートが締め付けバンドから離脱不可状態となるまで締め込むことを特徴とするパイプの接続方法。
【請求項２】
断面略Ｃ字形をして、締め付けボルトの締め込みによってＣ字の両開口端に設けられたフランジ部が近接しながら縮径する締め付けバンドと、
一端にノズル状筒部を有する継手本体とを備え、前記ノズル状筒部が挿入されたパイプの管端部に、前記締め付けバンドのＣ字の内側にパイプの管端部を内包するように外装したのち、前記締め付けボルトを締め込むことによって縮径した締め付けバンドと前記ノズル状筒部と間でパイプの管端部を挟着固定する管継手であって、
パイプの正常接続状態で両フランジ部間に挟まれ、締め付けバンドから離脱不可状態となる厚さをしているとともに、一端部を両フランジ部間に臨ませた状態で、他端部が両フランジ部間から外部に突出する長さの締め付け確認シートを備えていることを特徴とする管継手。
【請求項３】
請求項１のパイプの接続方法または請求項２の管継手に用いる締め込み確認シートであって、一端部にボルトの胴部が入り込んで、前記胴部から離脱しないように胴部に係止され、他端部からフランジ部間から離脱方向の力が加わるとボルトへの係止が解除される機構を備える切欠あるいは孔を備えていることを特徴とする締め込み確認シート。
【請求項４】
請求項１のパイプの接続方法または請求項２の管継手に用いる締め込み確認シートであって、締め付けバンドからはみ出る部分に切り取り用のミシン目あるいは薄肉部を備えていることを特徴とする締め込み確認シート。
【発明の詳細な説明】
【技術分野】
【０００１】
本発明は、たとえば、中・高層のマンションなどの集合住宅や商業ビル等の多層建築物において、立て管から分岐された各階の給水給湯横枝管や、戸建て住宅の給水給湯配管、あるいは病院や商業ビル、事務所ビルなどの冷温水配管等に用いられる樹脂製パイプあるいは多層樹脂製パイプのバンド締め込みタイプの管継手との接続方法、このパイプの接続方法に用いる締め付け確認シート及び管継手に関する。
【背景技術】
【０００２】
樹脂製パイプまたは多層樹脂製パイプと管継手との接続方式の１つとして、メカニカル方式が挙げられる。
すなわち、メカニカル方式は、継手本体のノズル状筒部をパイプの管端部に挿入し、袋ナットや締め付けバンドの締め込みによって外面から圧縮力を加えノズル状筒部に管端部を圧縮密着させてパイプと管継手とを接続するようになっている（非特許文献１参照）。
【０００３】
そして、袋ナット締め込み方式の管継手では、袋ナットの締め込み時のトルク管理が必要であるが、バンド締め込み方式の管継手の場合はバンドが隙間なく締め込まれたことを施工完了の標準条件とされることが多く、職人の技量に左右されるトルク管理と較べ、施工管理が分かりやすいというメリットがある。このため古くからある止水機構ではあるが、現在でも集合住宅や戸建て住宅の給水給湯配管・継手として、一定のシェアを確保し続けている。
また、特にバンド締め込み方式の管継手は、六角穴付きボルト等を回転させてバンドを絞り込むためスパナを振り回す必要がなく、施工スペースの確保の観点で有利であるという利点もある。
【０００４】
しかしながら、バンド締め込み方式の管継手においても、ボルトの軸方向を正面に向けて作業者が締め込み作業を行う関係上バンドの隙間が横に来るため、施工スペースによっては隙間の目視確認がしにくいとして、改善を要望されることがある。
このような不満に対し、鏡の使用や隙間ゲージを提案できるが、治具の出し入れが煩わしいとされ、購入費用の問題等によりユーザーに必ずしも受け入れられるわけではない。
【０００５】
そこで、バンドの一方のフランジ部に突起を設け、他方のフランジ部に前記突起が侵入可能な凹部を設けるとともに、突起の侵入方向に対して略直交する方向に可動なインジケーターを設け、ボルトを締め付けてパイプを接続する際に、前記突起が凹部に侵入してインジケーターを押し出すことにより、バンドの正常な締め込みが完了したことをバンドの外部から容易に確認可能となされた管継手（特許文献１参照）が提案されている。
【０００６】
しかし、この管継手によれば、上記のように、締め込みが正常に完了すれば、インジケーターがバンドの外部に押し出されるため、正常に締め込みが完了しているか否かの確認が容易になり、上記従来の問題点は解決できるのであるが、バンドの構造を複雑なものとしなければならないとともに、既存のバンドの金型が無駄になるなど、製造コストがかかるという問題がある。
【非特許文献１】ＪＩＳＫ６７７０−２００４の付図１
【特許文献１】特開２００６−１８３８６５号公報
【発明の開示】
【発明が解決しようとする課題】
【０００７】
本発明は、上記事情に鑑みて、既存のバンド締め込み式管継手のバンドを用いて、バンドの正常な締め込みが完了したか否かを容易に確認できるパイプの接続方法、このパイプの接続方法に用いる締め付け確認シート及び管継手を提供することを目的としている。
【課題を解決するための手段】
【０００８】
上記目的を達成するために、本発明にかかるパイプの接続方法（以下、「本発明の接続方法」と記す）は、断面略Ｃ字形をして、締め付けボルトの締め込みによってＣ字の両開口端に設けられたフランジ部が近接しながら縮径する締め付けバンドを、継手本体に設けられたノズル状筒部が挿入されたパイプの管端部に、締め付けバンドのＣ字の内側にパイプの管端部を内包するように外装したのち、前記締め付けボルトを締めこむことによって縮径した締め付けバンドと前記ノズル状筒部と間でパイプの管端部を挟着固定する管継手へのハイプの接続方法であって、パイプの正常接続状態で両フランジ部間に挟まれ、締め付けバンドから離脱不可状態となる厚さをした締め込み確認シートを、その一端部を両フランジ部間に臨ませ、他端部を両フランジ部間から外部に突出させた状態で前記ボルトを前記締め込み確認シートが締め付けバンドから離脱不可状態となるまで締め込むことを特徴としている。
【０００９】
本発明にかかる管継手（以下、「本発明の管継手」と記す）は、断面略Ｃ字形をして、締め付けボルトの締め込みによってＣ字の両開口端に設けられたフランジ部が近接しながら縮径する締め付けバンドと、一端にノズル状筒部を有する継手本体とを備え、前記ノズル状筒部が挿入されたパイプの管端部に、前記締め付けバンドのＣ字の内側にパイプの管端部を内包するように外装したのち、前記締め付けボルトを締め込むことによって縮径した締め付けバンドと前記ノズル状筒部と間でパイプの管端部を挟着固定する管継手であって、パイプの正常接続状態で両フランジ部間に挟まれ、締め付けバンドから離脱不可状態となる厚さをしているとともに、一端部を両フランジ部間に臨ませた状態で、他端部が両フランジ部間から外部に突出する長さの締め付け確認シートを備えていることを特徴としている。
【００１０】
本発明の接続方法および管継手において用いられる締め込み確認シートとしては、特に限定されないが、一端部にボルトの胴部が入り込んで、前記胴部から離脱しないように胴部に係止され、他端部からフランジ部間から離脱方向の力が加わるとボルトへの係止が解除される機構を備える切欠あるいは孔を備えていること、締め付けバンドからはみ出る部分に切り取り用のミシン目あるいは薄肉部を備えていることが好ましい。
ミシン目あるいは薄肉部を設ける位置は、フランジ部から１０ｍｍ以内にくるように設けることが好ましい。
【００１１】
本発明において、締め込み確認シートの素材は、特に限定されないが、たとえば、紙や樹脂、金属ならびにこれらの複合素材などが挙げられる。
【００１２】
また、締め付け確認シートの厚みは、パイプの正常接続状態で両フランジ部間に挟まれ、締め付けバンドから離脱不可状態となる厚さであれば、特に限定されないが、市販のバンド締め込み式の管継手の場合、フランジ部間の隙間がなくなるまで締め込むことを施工完了の標準条件とされることが多いことから、厚みが厚すぎると異物噛み込みと同様の締め込み不足を起こす恐れがあるので、フランジ部間に挟まれる部分を０．５ｍｍ以下の厚みとすることが好ましい。
【００１３】
締め込み確認シートの全長は、一端部がバンドのフランジ部間に挟みこまれた際でも、他端部がバンドの外部にはみ出して、引張り可能、好ましくは作業者が親指と人差し指あるいは中指との間で他端部を摘める長さ以上あればどれだけ長くても構わないが、経済的および外観上常識的に全長１００ｍｍ以下程度の長さにすることが好ましい。
【００１４】
本発明の接続方法に用いられるパイプとしては、特に限定されないが、架橋ポリエチレン管、ポリブデン管、ポリエチレン管、ポリエチレンと架橋ポリエチレンの二層複層管、塩化ビニル系樹脂管等が挙げられる。この合成樹脂管は、管壁にアルミニウムなどの金属材料が併用された複合管でも良い。
【発明の効果】
【００１５】
本発明の接続方法は、以上のように、断面略Ｃ字形をして、締め付けボルトの締め込みによってＣ字の両開口端に設けられたフランジ部が近接しながら縮径する締め付けバンドを、継手本体に設けられたノズル状筒部が挿入されたパイプの管端部に、締め付けバンドのＣ字の内側にパイプの管端部を内包するように外装したのち、前記締め付けボルトを締めこむことによって縮径した締め付けバンドと前記ノズル状筒部と間でパイプの管端部を挟着固定する管継手へのハイプの接続方法であって、パイプの正常接続状態で両フランジ部間に挟まれ、締め付けバンドから離脱不可状態となる厚さをした締め込み確認シートを、その一端部を両フランジ部間に臨ませ、他端部を両フランジ部間から外部に突出させた状態で前記ボルトを前記締め込み確認シートが締め付けバンドから離脱不可状態となるまで締め込むようにしたので、締め込み確認シートの締め付けバンドから外側にはみ出た部分を引っ張り、この引っ張りによって締め込み確認シートが締め付けバンド部分から離脱するか否かを確認すれば、施工現場で鏡や隙間ゲージを使用しなくても、触覚で締め付けバンドが正常位置まで締め込まれ、パイプが正常に接続されているか否かを容易に判断することができる。
【００１６】
すなわち、締め込み確認シートが締め付けバンド部分から離脱すれば、締め込み不足であることが直ちにわかり、締め込み不足による使用時のパイプの抜けによる事故を防止することができる。
また、従来の締め付けバンド式の管継手を用いることができるので、低コストで実施することができる。
【００１７】
さらに、たとえば、施工者または施工業者により締め込み確認シートの色または形状を変えることでトレーサビリティー機能を付与することができる。
【００１８】
本発明の管継手は、断面略Ｃ字形をして、締め付けボルトの締め込みによってＣ字の両開口端に設けられたフランジ部が近接しながら縮径する締め付けバンドと、一端にノズル状筒部を有する継手本体とを備え、前記ノズル状筒部が挿入されたパイプの管端部に、前記締め付けバンドのＣ字の内側にパイプの管端部を内包するように外装したのち、前記締め付けボルトを締め込むことによって縮径した締め付けバンドと前記ノズル状筒部と間でパイプの管端部を挟着固定する管継手であって、パイプの正常接続状態で両フランジ部間に挟まれ、締め付けバンドから離脱不可状態となる厚さをしているとともに、一端部を両フランジ部間に臨ませた状態で、他端部が両フランジ部間から外部に突出する長さの締め付け確認シートを備えているので、上記本発明の接続方法を容易に実施できるようになる。
【００１９】
さらに、本発明の接続方法あるいは管継手に用いる締め込み確認シートを、一端部にボルトの胴部が入り込んで、前記胴部から離脱しないように胴部に係止され、他端部からフランジ部間から離脱方向の力が加わるとボルトへの係止が解除される機構を備える切欠あるいは孔を備えているものとすれば、締め込みが完了するまで、締め込み確認シートを手で支える必要がない。
したがって、ボルトの締め込み作業時に片手を空けることができるので、天井配管等不安定な作業環境での施工時には、空いた片手で体を支えることができるなど、作業の安全性を高めることができる。
【００２０】
また、本発明の接続方法あるいは管継手に用いる締め込み確認シートを、締め付けバンドからはみ出る部分に切り取り用のミシン目あるいは薄肉部を備えている構成とすれば、
パイプの正常接続作業完了後、ミシン目あるいは薄肉部で切り取って外観上見栄えのよいものとするとともに、多数の施工箇所がある場合、切り取った切り取り片を集め、その数を数えることによって締め込み箇所数の確認を行うことが可能となる。
【発明を実施するための最良の形態】
【００２１】
以下に、本発明を、その実施の形態をあらわす図面を参照しつつ詳しく説明する。
図１および図２は、本発明にかかる管継手の１つの実施の形態をあらわしている。
【００２２】
図１および図２に示すように、この管継手１は、継手本体２と、割りリング３と、締め付けバンド４と、締め込み確認シート５ａとを備えている。
【００２３】
継手本体２は、一端にノズル状筒部（パイプ挿入部）２１を有し、他端に雄ねじ筒部２２を備えている。
ノズル状筒部２１は、その外周面に３つの凹溝２１ａ，２１ｂ，２１ｃがリング状に形成されていて、中央の凹溝２１ｂが他の凹溝２１ａ，２１ｃより深くなっていて、リング状のパッキン２１ｄがはめ込まれている。
【００２４】
割りリング３は、図１および図３に示すように、その一端部にノズル状筒部２１へ係止凸条３１が設けられ、ノズル状筒部２１の凹溝２１ａ，２１ｂ，２１ｃに対応する部分にそれぞれ凸条３２、３３、３４が設けられるとともに、軸方向に割り部３５が形成されたリング状をしていて、図２に示すように、ノズル状筒部２１との間にパイプＰの管端部が挿入され、後述する締め付けバンド４の締め付けによって縮径してパイプＰを水密に接続できるようになっている。また、この割りリング３は、金属製又はプラスチック製のいずれであっても良いが、
パイプＰを圧縮するのでその圧力に耐える必要があり、通常は、ステンレススチール、アルミニウム、鉄、銅合金等の金属製とされる。
【００２５】
締め付けバンド４は、図１および図３に示すように、断面略Ｃ字形をしていて、Ｃ字の両開口端にそれぞれフランジ部４１ａを有するバンド本体４１と、締め付けボルトとしての六角ボルト４２とを備えている。
バンド本体４１は、ステンレススチール、アルミニウム、鉄、銅合金等の金属製で、両側のフランジ部４１ａに六角ボルト４２の挿通孔４１ｂが穿設される（図では片側しかあらわれていない）とともに、一方のフランジ部４１ａの外壁面側の挿通孔４１ｂを臨む位置に溶接によって六角ボルト４２が螺合するナット４３が溶接されている。
【００２６】
そして、バンド本体４１は、図１および図２に示すように、割りリング３に外嵌され、六角ボルト４２をナット４３が溶接されていないフランジ部４１ａの挿通孔４１ｂから他方のフランジ部４１ａの挿通孔４１ｂを介してナット４３に螺合させ、フランジ部４１ａ同士が略密着するまで六角ボルト４２を締め込み、バンド本体４１を縮径させることによって、割りリング３が縮径してパイプＰを水密に接続できるようになっている。
【００２７】
締め込み確認シート５ａは、図１および図４に示すように、紙や樹脂、金属ならびにこれらの複合素材などからなる０．５ｍｍ以下の厚みの長さ１００ｍｍ以下の短冊状をしていて、長手方向の一端に六角ボルト４２の胴部４２ａが入り込む切欠５１が設けられるとともに、フランジ部４１ａより１０ｍｍ以内の部分にミシン目５２が設けられ、ミシン目５２に沿って容易に切り取れるようになっている。
【００２８】
切欠５１は、その開口端に係止片５１ａが設けられていて、開口５１ｂが六角ボルト４２の胴部４２ａの直径より小さくなっている。
係止片５１ａは、フランジ部４１ａ間に締め込み確認シート５ａの一端部が挟着されていなくても、締め込み確認シート５ａにフランジ部４１ａから離脱方向に力を加えない限り、締め込み確認シート５ａが離脱しないように締め込み確認シート５ａを胴部４２ａに係止できるようになっている。
【００２９】
図５および図６は、締め込みシートの他の例をあらわしている。
図５に示す締め込み確認シート５ｂは、短冊状ではなく、台形をしている以外は、上記締め込み確認シート５ａと同様になっている。
【００３０】
図６に示す締め込み確認シート５ｃは、一端部に切欠５１に代えて六角ボルト４２の胴部４２ａが挿通される孔５３が穿設されるとともに、一端からこの孔５３に向かってスリット５３ａが設けられ、締め込み確認シート５ｃの他端側からフランジ部４１ａから離脱方向に力が加わるとスリット５３ａが開き、締め込み確認シート５ｃが離脱するようになっている。
【００３１】
本発明は、上記の実施の形態に限定されない。たとえば、上記の実施の形態では、パイプと締め付けバンドとの間に割りリングが設けられていたが、割りリングはなくても構わない。
上記の実施の形態では、継手本体のノズル状筒状部の反対側の端部が雄ねじ筒形状であったが、雌ねじ筒形状でも構わないし、両側にノズル状筒状部が設けられていても構わない。
【図面の簡単な説明】
【００３２】
【図１】本発明にかかる管継手の一部切欠側面図である。
【図２】図１の管継手のパイプ挿入状態を説明する断面図である。
【図３】図１の管継手の割りリングと締め付けバンドの斜視図である。
【図４】図１の管継手の締め込み確認シートの平面図である。
【図５】本発明にかかる締め込み確認シートの第２の例を示す平面図である。
【図６】本発明にかかる締め込み確認シートの第３の例を示す平面図である。
【符号の説明】
【００３３】
１  管継手
２  継手本体
２１  ノズル状筒部
４  締め付けバンド
４２  六角ボルト（締め付けボルト）
４１ａ  フランジ部
５ａ，５ｂ，５ｃ  締め込み確認シート
５１  切欠
５２  ミシン目
５３  孔
Ｐ  パイプ
【図１】
2009156361.tif 000003
【図２】
2009156361.tif 000004
【図３】
2009156361.tif 000005
【図４】
2009156361.tif 000006
【図５】
2009156361.tif 000007
【図６】
2009156361.tif 000008